(57)【特許請求の範囲】
【請求項１】
楔型引留めクランプ（ＭＡＴ）の連結板に取付けるジャンパ線補強装置であって、
補強線取付金具本体と補強線部とジャンパスペーサ部とを有し、
前記補強線取付金具本体は、一対の補強線取付金具と、一対の取付金具ボルト及び一対の取付金具ナットと、一対の取付金具パイプと、一対の取付金具支持棒とを有し、
前記一対の補強線取付金具は、前記一対の取付金具ボルトが貫通するボルト貫通穴をそれぞれ有し、前記一対の補強線取付金具の一方の補強線取付金具の片端には補強線取付け穴を有し、
前記一対の取付金具パイプは、前記一対の取付金具ボルトの一方の取付金具ボルトが前記一対の補強線取付金具の一方の前記ボルト貫通穴を貫通するように取付けられる際、前記一対の補強線取付金具の間に設置されるよう前記一方の取付金具ボルトに挿入され、
前記一対の取付金具支持棒は、前記一対の補強線取付金具の他方の前記ボルト貫通穴近傍に取付けられ、
前記一対の取付金具ボルトの他方の取付金具ボルトは、前記一対の補強線取付金具の他方のボルト貫通穴に挿入され、
前記補強線部は、補強線クランプと、補強線クランプボルト及び補強線クランプナットと、補強線と、補強線先端キャップとを有し、
前記補強線は、ジャンパスペーサ取付位置マークを有し、
前記ジャンパスペーサ部は、一対のジャンパ線補強線把持部と、ジャンパ線補強線把持部取付ネジとを有し、
前記一対のジャンパ線補強線把持部は、ジャンパ線把持溝及び補強線把持溝をそれぞれ有することを特徴とするジャンパ線補強装置。
【発明の詳細な説明】
【技術分野】
【０００１】
本発明は、送電線のジャンパ線の補強装置に係り、より詳しくは、楔型引留めクランプ（ＭＡＴ）の連結板に容易に取付けできるジャンパ線補強装置に関する。
【背景技術】
【０００２】
送電線のジャンパ線には、鉄塔クリアランスの確保や、横振れ時にジャンパ線に発生する応力を低減する目的で、補強装置が取付けられている。補強装置の取付けに関しては、補強線を取付ける金具類が、あらかじめクランプと耐張装置との間に入れられたり、耐張装置の金具の一部分が流用されていた。
【０００３】
図３は、従来のジャンパ線補強装置の取付け図である。図３において、従来のジャンパ線補強装置９０の補強線取付金具９１が、鉄塔に取付けられて送電線を耐張する耐張装置７０と送電線を把持するクランプ８０との間に取付けられた後、ジャンパ線補強装置９０の補強線３４が補強線取付金具９１に取付けられ、ジャンパ線６０と補強線３４とが固定されることにより、ジャンパ線６０を補強していた。図４は、従来のジャンパ線補強装置の他の取付け図である。図４において、ジャンパ線補強装置９０が、耐張装置７０の水平ヨーク７１のボルト穴７２に取付けられた後、ジャンパ線６０と補強線３４とが固定されることにより、ジャンパ線６０を補強していた。
【０００４】
ところが、図３の場合は、補強線取付金具９１を取付けるには、鉄塔のもう一方の耐張装置７０側にも同様に補強線取付金具９１を取付ける必要があり、ジャンパ線を所定形状に保つことができなくなる不具合を生じる場合があった。また図４の場合は、水平ヨーク７１にボルト穴７２が全く開いていない場合があり、ジャンパ線補強装置９０を取付けることができないという不具合が生じていた。
【０００５】
特許文献１には、ジャンパ線の吹上防止装置であって、ジャンパ線に導通接続されている銅線を内装して、回転自在に支持されているとともに、吹き付ける風を受けるスパイラル形状の風受部が、外周面に立設されている抵抗回転部材と、吹き付ける風を受ける回転翼を有し、その抵抗回転部材を風の吹き付け方向に対して下側の風受部が順方向に向かうとともに、上側の風受部が逆方向に向かうように回転させる回転開始機構とを備える、旨の記載がある。
【先行技術文献】
【特許文献】
【０００６】
【特許文献１】特開２００８−２８９２９９号公報
【発明の概要】
【発明が解決しようとする課題】
【０００７】
本発明は、このような問題を解決するためになされたものであり、その目的は、楔型引留めクランプ（ＭＡＴ）の連結板に容易に取付けできるジャンパ線補強装置を提供する。
【課題を解決するための手段】
【０００８】
本発明のジャンパ線補強装置は、楔型引留めクランプ（ＭＡＴ）の連結板に取付けるジャンパ線補強装置であって、補強線取付金具本体と補強線部とジャンパスペーサ部とを有し、補強線取付金具本体は、一対の補強線取付金具と、一対の取付金具ボルト及び一対の取付金具ナットと、一対の取付金具パイプと、一対の取付金具支持棒とを有し、一対の補強線取付金具は、一対の取付金具ボルトが貫通するボルト貫通穴をそれぞれ有し、一対の補強線取付金具の一方の補強線取付金具の片端には補強線取付け穴を有し、一対の取付金具パイプは、一対の取付金具ボルトの一方の取付金具ボルトが一対の補強線取付金具の一方のボルト貫通穴を貫通するように取付けられる際、一対の補強線取付金具の間に設置されるよう一方の取付金具ボルトに挿入され、一対の取付金具支持棒は、一対の補強線取付金具の他方のボルト貫通穴近傍に取付けられ、一対の取付金具ボルトの他方の取付金具ボルトは、一対の補強線取付金具の他方のボルト貫通穴に挿入され、補強線部は、補強線クランプと、補強線クランプボルト及び補強線クランプナットと、補強線と、補強線先端キャップとを有し、補強線は、ジャンパスペーサ取付位置マークを有し、ジャンパスペーサ部は、一対のジャンパ線補強線把持部と、ジャンパ線補強線把持部取付ネジとを有し、一対のジャンパ線補強線把持部は、ジャンパ線把持溝及び補強線把持溝をそれぞれ有することを特徴とする。
【発明の効果】
【０００９】
本発明によれば、楔型引留めクランプ（ＭＡＴ）の連結板に容易に取付けできるジャンパ線補強装置を提供することができる。
【図面の簡単な説明】
【００１０】
【図１】本発明によるジャンパ線補強装置の構成図。
【図２】本発明のジャンパ線補強装置の取付け説明図。
【図３】従来のジャンパ線補強装置の取付け図。
【図４】従来のジャンパ線補強装置の他の取付け図。
【発明を実施するための形態】
【実施例】
【００１１】
本発明の実施の形態について、図を用いて説明する。図１は、本発明によるジャンパ線補強装置の構成図である。図１において、本発明のジャンパ線補強装置１００は、補強線取付金具本体１０と補強線部３０とジャンパスペーサ部４０とを有している。
【００１２】
補強線取付金具本体１０は、一対の補強線取付金具１１、１３と、一対の取付金具ボルト１５、１６及び一対の取付金具ナット１７と、一対の取付金具パイプ１８、１９と、一対の取付金具支持棒２０、２１とを有している。一対の補強線取付金具１１、１３は、一対の取付金具ボルト１５、１６が貫通するボルト貫通穴１４をそれぞれ有し、一対の補強線取付金具１１、１３の一方の補強線取付金具１１の片端には補強線取付け穴１２を有している。
【００１３】
一対の取付金具パイプ１８、１９は、一対の取付金具ボルト１５、１６の一方の取付金具ボルト１５が一対の補強線取付金具１１、１３の一方のボルト貫通穴１４を貫通するように取付けられる際、一対の補強線取付金具１１、１３の間に設置されるよう一方の取付金具ボルト１５に挿入されている。また、一対の取付金具支持棒２０、２１は、一対の補強線取付金具１１、１３の他方のボルト貫通穴１４近傍に取付けられている。一対の取付金具ボルト１５、１６の他方の取付金具ボルト１６は、一対の補強線取付金具１１、１３の他方のボルト貫通穴１４に挿入されている。
【００１４】
補強線部３０は、補強線クランプ３１と、補強線クランプボルト３２及び補強線クランプナット３３と、補強線３４と、補強線先端キャップ３５とを有している。補強線３４は、ジャンパスペーサ取付位置マーク３６を有している。補強線３４は、ジャンパ線３４よりも剛性の高い亜鉛メッキ鋼撚線又はアルミ覆鋼撚線であることが望ましい。また、ジャンパスペーサ部４０は、一対のジャンパ線補強線把持部４１、４２と、ジャンパ線補強線把持部取付ネジ４３とを有している。一対のジャンパ線補強線把持部４１、４２は、ジャンパ線把持溝４４及び補強線把持溝４５をそれぞれ有している。
【００１５】
図２は、本発明のジャンパ線補強装置の取付け説明図である。図２において、補強線取付金具本体１０が楔型引留クランプ５０の連結板５１に取付けられる。取付けにおいては、図１ａ及び図２の拡大図をもとに、取付金具ボルト１５が、一対の補強線取付金具１１、１３の一方のボルト貫通穴１４と連結板５１の引手５２の引手穴５３を貫通する際、引手５２と補強線取付金具１１、１３との間に取付金具パイプ１８、１９が挿入される。また、取付金具支持棒２０、２１が、一対の補強線取付金具１１、１３の他方のボルト貫通穴１４近傍に取付けられ、取付金具ボルト１６が他方のボルト貫通穴１４挿入される。その後、取付金具ボルト１５、１６は、取付金具ナット１７により締め付けられ、補強線取付金具本体１０が連結板５１に固定される。このように補強線取付金具１１、１３は、取付金具パイプ１８、１９により、連結板５１の引手５２を押さえ込み、取付金具支持棒２０、２１により、連結板５１を押さえ込むことにより、補強線取付金具１１、１３と連結板５１とのガタツキがなくなり、安定して連結板５１に取付けられる。
【００１６】
次に、補強線取付金具１１の片端の補強線取付け穴１２に、補強線部３０が取付けられる。取付けにおいては図１のａ、ｂと図２とをもとに、補強線部３０の補強線クランプ３１の補強線クランプボルト３２及び補強線クランプナット３３により、補強線部３０が、補強線取付け穴１２に取付けられる。
【００１７】
次に、補強線３４とジャンパ線６０とが、ジャンパスペーサ部４０により固定される。取付けにおいては、図１のｂ、ｃと図２とをもとに、補強線３４のジャンパスペーサ取付位置マーク３６の位置において、ジャンパ線６０と補強線３４とが、ジャンパスペーサ部４０のジャンパ線補強線把持部４１、４２のジャンパ線把持溝４４及び補強線把持溝４５にそれぞれ挟まれ、ジャンパ線補強線把持部取付ネジ４３により固定される。また、補強線先端キャップ３５は、補強線３４が所定の長さで切断された後、補強線３４の切断端部のバラケ防止及びコロナ対策のため、当該端部に取付けられている。
【００１８】
以上説明したように本発明によれば、楔型引留めクランプ（ＭＡＴ）の連結板に容易に取付けできるジャンパ線補強装置を提供することができる。
【符号の説明】
【００１９】
１０  補強線取付金具本体
１１  補強線取付金具
１２  補強線取付穴
１３  補強線取付金具
１４  ボルト貫通穴
１５  取付金具ボルト
１６  取付金具ボルト
１７  取付金具ナット
１８  取付金具パイプ
１９  取付金具パイプ
２０  取付金具支持棒
２１  取付金具支持棒
３０  補強線部
３１  補強線クランプ
３２  補強線クランプボルト
３３  補強線クランプナット
３４  補強線
３５  補強線先端キャップ
３６  ジャンパスペーサ取付位置マーク
４０  ジャンパスペーサ部
４１  ジャンパ線補強線把持部
４２  ジャンパ線補強線把持部
４３  ジャンパ線補強線把持部取付ネジ
４４  ジャンパ線把持溝
４５  補強線把持溝
５０  楔型引留クランプ（ＭＡＴ）
５１  連結板
５２  引手
５３  引手穴
６０  ジャンパ線
７０  耐張装置
７１  水平ヨーク
７２  ボルト穴
８０  クランプ
９０  従来のジャンパ線補強装置
９１  補強線取付金具
１００  本発明のジャンパ線補強装置
【図１】
0005730640.tif 000002
【図２】
0005730640.tif 000003
【図３】
0005730640.tif 000004
【図４】
0005730640.tif 000005